(57)【要約】【課題】脊柱を真っ直ぐに矯正し、股関節脱臼を予防し、骨盤の強化及び捩れを矯正する。【解決手段】脊柱矯正及び骨盤強化装置は、固定締結手段部１０と可変締結手段部２０を備える。固定締結手段部１０の第１水平板１１０に手のひら状の第１ヒザ開き防止板１００を下方向に折曲形成する。第１水平板１１０の裏面にガイド溝を長く形成し、第１水平板１１０の他端に締結ブラケット１２０を一体に形成する。可変締結手段部２０は第２水平板２１０を備え、第２水平板２１０の一端に手のひら状の第２ヒザ開き防止板２００を下方向に折曲形成する。第２水平板２１０の他端に可変延長バーを一体に延設する。可変延長バーを固定締結手段部１０の締結ブラケット１２０に差し込み、テンション固定具１２４で位置調節可能に締結する。【選択図】図１
2016077850.tif 000002
【特許請求の範囲】
【請求項１】
一端には手のひら状を成している第１ヒザ開き防止板１００が下方向に折曲形成されており、前記第１ヒザ開き防止板１００と連続して第１水平板１１０が形成されているが、前記第１水平板１１０の裏面にはガイド溝１１１が長く形成されており、前記第１水平板１１０と連続する他端に締結ブラケット１２０が一体に形成された固定締結手段部１０と、
一端には手のひら状を成している第２ヒザ開き防止板２００が下方向に折曲形成されており、前記第２ヒザ開き防止板２００と連続して第２水平板２１０が形成されており、他端には可変延長バー２２０が一体に形成された可変締結手段部２０と、からなることを特徴とする脊柱矯正及び骨盤強化装置。
【請求項２】
前記第１ヒザ開き防止板１００と第２ヒザ開き防止板２００とは、内側に窪んで湾曲または傾斜していることを特徴とする、請求項１に記載の脊柱矯正及び骨盤強化装置。
【請求項３】
前記可変延長バー２２０は、両側に案内溝２２１が形成され山と谷からなるロッキング具２２２を含む、請求項１に記載の脊柱矯正及び骨盤強化装置。
【請求項４】
前記締結ブラケット１２０は、先端側に一体に形成されている先端ガイダー１２１を成し、後端側には長さ方向に、中央部には前記ガイド溝１１１の広さと一致するように切開された状態で、両側にはガイド溝１２２が形成されているが、前記ガイド溝１２２と前記先端ガイダー１２１との間には切開溝１２３が形成されており、前記締結ブラケット１２０の両側にはテンション固定具１２４を構成し、前記テンション固定具１２４の端部側に一体に形成される引っかかり具１２５が前記切開溝１２３の内に備えられ、前記テンション固定具１２４の動作に従って引っかかり具１２５が作動して、引っかかり具１２５の端部側が前記可変延長部２２０のロッキング具２２２と結合するか解除できるようにすることを含む、請求項１に記載の脊柱矯正及び骨盤強化装置。
【発明の詳細な説明】
【技術分野】
【０００１】
本発明は椅子などに座っているとき、ヒザを自然に閉じるようにすることで、脊柱を真っ直ぐにしたり、または脊柱を真っ直ぐに矯正すると同時に、股関節脱臼の予防、骨盤の強化及び捩れを矯正するようにすることで血液循環を円滑にして体のバランス保持及び健康に良い脊柱矯正及び骨盤強化装置に関する。
【背景技術】
【０００２】
現代人は長い時間を椅子などに座って生活しており、このように椅子に座っていると脊柱と骨盤及び足が結合する身体の構造上、両足が開くことになる。
【０００３】
上記のように、足、特にヒザが開くと、姿勢が前に傾くことになり、これによって脊柱に沿って腰と首が前側に曲がることになり、長期間このような姿勢で椅子に座っている事務の人及び受験生は、その姿勢のみだれがさらに酷くなり得る。
【０００４】
つまり、足を開いて座っていると、股関節脱臼、骨盤の捩れ、脊柱側湾症、脊椎管狭窄症などが発生し、血液循環障害などにも晒されることがある。具体的には、ヒザが開いている状態では両側方向のうちいずれか一方向に重心が傾いて腰が捻れるため、上体が一方に傾くことになり、脊柱の歪みを生じるという問題はさらに深刻となる。
【０００５】
また、スカートをはく女性の場合、他人の目を意識して、よりヒザを閉じて座るが、長時間公共交通手段によって旅行する場合、持続的にヒザを閉じて座っていることは大変難しいため、ある程度時間が経つか、または意識しない内に足が開いてしまい、本人だけでなく、周りの人も恥ずかしく感じる場合がたまに発生する。
【０００６】
上記のような身体的な問題点及びその他の見かけ上の問題点を認識しても現代人の殆どは椅子に座るときに、無意識的にヒザを開いてしまい、これを人為的に矯正するには、相当の努力と時間が必要とされ、短時間内に意識的にヒザを閉じようとしても、この際に、足全体と骨盤などに力が加わってすぐに疲れてしまい、集中力が落ちることになる。
【０００７】
そのため、身体的な変形を防止するとともに、女性の見栄えを良くするためにも、ヒザを閉じておくことのできる手段が必要となっている。このような問題点を解決するための従来技術である特許文献５（考案の名称「ヒザ閉じバンド」）の技術的主旨をみてみると、
請求項１．両足のヒザの周りに着用して、閉じたヒザが開くことを防ぐバンディング手段と；上記バンディング手段の両端にそれぞれ結合され、相互締結を通じてバンディング手段が閉曲線を形成するようにする接続手段と；上記バンディング手段上に備えられてバンディング手段の長さを可変させる長さ可変手段；を含んで構成されることを特徴とするヒザ閉じバンド。
請求項 ２．
上記バンディング手段は、通気孔が形成された布加工バンドであって、接続手段は、一方は突起弾性体であり、他方は上記突起弾性体がインサートして弾性締結される溝が形成された締結具からなり、長さ可変手段はピン３つが水平になって、両端部はそれぞれ連結されたクリップで構成されることを特徴とするヒザ閉じバンド、であることがわかる。
【０００８】
上記従来技術は、たとえヒザを強制的に閉じることには問題がないとしても、会社員の場合、事務所内で上司から呼ばれたり、他の業務でよく椅子から立ち上がったりする、すなわち、立ったり座ったりすることを頻繁に繰り返す状態では、上記従来技術は、着脱の厄介さにより使用し難いという問題がある。
【０００９】
すなわち、椅子から立ち上がるためには、接続手段の突起弾性体を締結具から外さなければならないという厄介さと非能率性及び非効率性の問題がある。
【先行技術文献】
【特許文献】
【００１０】
【特許文献１】韓国実用登録番号第０４２３０９４号
【特許文献２】韓国実用登録番号第０３８３７４５号
【特許文献３】韓国実用登録番号第０２７５１８９号
【特許文献４】韓国特許出願第１０−２００９−２６２７号
【特許文献５】韓国実用新案登録第２０−０４２３０９４号
【発明の概要】
【発明が解決しようとする課題】
【００１１】
本発明は、上記のような問題点を解決するためのもので、立ったり座ったりすることを頻繁に繰り返す一般の会社員に焦点を合わせて、優先的に着脱の利便性と迅速性を図ることにその目的があり、上記の目的とともに、脊柱の矯正や脊柱を真っ直ぐに保つようにして脊柱の矯正をすると同時に、これによる内臓系や泌尿器系の健康を保つようにすると同時に、骨盤を正位置に整列させるための構造を形成することで、血液循環を円滑に保持することにその目的があり、さらに、着席の際にヒザを閉じるようにすることで、括約筋に常に力が入り、括約筋強化運動及びこれによる太もも強化、さらには下体の肥満を解決できるようにすることに本発明の目的がある。
【課題を解決するための手段】
【００１２】
上記のような目的を達成するための具体的な解決的手段は、
一端に手のひら状を成している第１ヒザ開き防止板が下方向に折曲形成されており、上記第１ヒザ開き防止板と連続して第１水平板が形成されているが、上記第１水平板の裏面にはガイド溝が長く形成されており、上記第１水平板と連続する他端には締結ブラケットが一体に形成された固定締結手段部と、一の側には手のひら状を成している第２ヒザ開き防止板が下方向に折曲形成されており、上記第２ヒザ開き防止板と連続して第２水平板が形成されており、他端には可変延長バーが一体に形成された可変締結手段部と、からなることを特徴とする脊柱矯正及び骨盤強化装置と、
上記第１ヒザ開き防止板と第２ヒザ開き防止板とは、内側に窪んで湾曲または傾斜していることを特徴とする、脊柱矯正及び骨盤強化装置と、
上記可変延長バーは、両側に案内溝が形成され山と谷からなるロッキング具からなることを含む、脊柱矯正及び骨盤強化装置と、
上記締結ブラケットは、先端側に一体に形成されている先端ガイダーを成し、後端側には長さ方向に、中央部には上記ガイド溝の広さと一致するように切開された状態で、両側にはガイド溝が形成されているが、上記ガイド溝と上記先端ガイダーとの間には切開溝が形成されており、上記締結ブラケットの両側にはテンション固定具を構成し、上記テンション固定具の端部側に一体に形成される引っかかり具が上記切開溝内に備えられ、上記テンション固定具の動作に従って引っかかり具が作動して、引っかかり具の端部側が上記可変延長部のロッキング具と結合するか解除できるようにすることを含む、脊柱矯正及び骨盤強化装置、を構成的特徴とすることで上記の目的を達成することができる。
【発明の効果】
【００１３】
上記のように構成された本発明は、足を組んだり閉じたりしていると、骨盤が傾いたりせず、脊柱が真っ直ぐに立って頭から足の端まで気の流れが良くなることで、血流の循環効果が高まり、流れが良くなると新陳代謝が活発になるため疲労回復に効果があり、また、普段から正しい姿勢を保つことにより血の浄化にも非常に役立つ。
【００１４】
一方、立ったり座ったりすることを頻繁に繰り返す一般の会社員に焦点を合わせて、優先的に着脱の利便性と迅速性を図ることができるようにすることで、職場内でも便利に使うことができ、また着席の際にヒザを閉じるようにすることで、括約筋に常に力が入り、括約筋強化運動及びこれによる太もも強化、さらには下体の肥満を解決することができる。
【００１５】
以下では、本発明を特定の好ましい実施例を挙げて図示して説明するが、本発明は下記の実施例に限定されず、本発明の精神を外れない範囲内で当該発明が属する技術分野において通常の知識を有する者により様々な変更と修正が可能であることは勿論である。
【図面の簡単な説明】
【００１６】
【図１】本発明である脊柱矯正及び骨盤強化装置の斜視図である。
【図２】本発明である脊柱矯正及び骨盤強化装置において固定締結手段部の斜視図である。
【図３】本発明である脊柱矯正及び骨盤強化装置において可変締結手段部の斜視図である。
【図４】本発明である脊柱矯正及び骨盤強化装置の分離した状態を示す斜視図である。
【図５】本発明である脊柱矯正及び骨盤強化装置の使用状態を示す図である。
【発明を実施するための形態】
【００１７】
以下、本発明である脊柱矯正及び骨盤強化装置について図とともに具体的な構成及び作用について説明する。
【００１８】
図１は、本発明である脊柱矯正及び骨盤強化装置の斜視図で、図２は、本発明である脊柱矯正及び骨盤強化装置において固定締結手段部の斜視図で、図３は、本発明である脊柱矯正及び骨盤強化装置において可変締結手段部の斜視図で、図４は、本発明である脊柱矯正及び骨盤強化装置の分離した状態を示す斜視図で、図５は、本発明である脊柱矯正及び骨盤強化装置の使用状態を示す図である。
【００１９】
先ず、本発明は、大きく、固定締結手段部１０、可変締結手段部２０に分けられ、上記固定締結手段部１０は、図２に図示されたとおり、一端には手のひら状を成している第１ヒザ開き防止板１００が下方向に折曲形成されており、上記第１ヒザ開き防止板１００と連続して第１水平板１１０が形成されているが、上記第１水平板１１０の裏面にはガイド溝１１１が長く形成されており、上記第１水平板１１０と連続する他端には締結ブラケット１２０が一体に形成されたもので、上記可変締結手段部２０は、図３に図示されたとおり、一端には手のひら状を成している第２ヒザ開き防止板２００が下方向に折曲形成されており、上記第２ヒザ開き防止板２００に連続して第２水平板２１０が形成されており、他端には可変延長バー２２０が一体に形成されたものである。
【００２０】
好ましくは、上記第１ヒザ開き防止板１００と第２ヒザ開き防止板２００は、内側に窪んで湾曲または傾斜したものであり、
上記可変延長バー２２０は、両側に案内溝２２１が形成され山と谷からなるロッキング具２２２からなることを含むものである。
【００２１】
一方、上記締結ブラケット１２０は、先端側に一体に形成されている先端ガイダー１２１を成し、後端側には長さ方向に、中央部には上記ガイド溝１１１の広さと一致するように切開された状態で、両側にはガイド溝１２２が形成されているが、上記ガイド溝１２２と上記先端ガイダー１２１との間には切開溝１２３が形成されており、上記締結ブラケット１２０の両側にはテンション固定具１２４を構成し、上記テンション固定具１２４の端部側に一体に形成される引っかかり具１２５が上記切開溝１２３内に備えられ、上記テンション固定具１２４の動作に従って引っかかり具１２５が作動して、引っかかり具１２５の端部側が上記可変延長部２２０のロッキング具２２２と結合するか解除できるようにするものである。
【００２２】
以下、本発明の作用について説明する。
【００２３】
上記のように構成された本発明は、先ず、図４に図示されたとおり、上記固定締結手段部１０の先端ガイダー１２１の内側に上記可変締結手段部２０の可変延長バー２２０を挿入して、第１水平板１１０の裏面に備えられたガイド溝１１１に沿ってスライディングさせると、図１に図示されたとおり、上記固定締結手段部１０と上記可変締結手段部２０が結合されるものである。
【００２４】
上記のような状態で、図５に図示したとおり、使用者のヒザまたは太ももＬに嵌めるためには、上記締結ブラケット１２０のテンション固定具１２４の後端を押し込むと上記引っかかり具１２５がロッキング具２２２から解除され、このような状態で、使用者が所望する範囲まで可変延長バー２２０をガイド溝１１１に沿って左右にスライディングして適切な位置を定めた後、上記テンション固定具１２４の引っかかり具１２５の押し込みを解除すると、引っかかり具１２５がロッキング具２２２に締結されて結合される。
【００２５】
上記のような状態で、席から立ち上がる時には、テンション固定具１２４の後端を押し込んで上記引っかかり具１２５のロッキング具２２２を解除した後、本発明をヒザまたは太ももＬから抜き取ればいいが、急ぎの場合は、単に第１水平板１１０または第２水平板２１０を上から引っ張るとそのまま抜けるようになっており、便利に抜くことができる。
【００２６】
このように、立ったり座ったりすることを頻繁に繰り返す一般の会社員に焦点を合わせて、優先的に着脱の利便性と迅速性を図ることができるようにすることで、職場内でも便利に使用することができ、また着席の際にヒザを閉じるようにすることで、括約筋に常に力が入り、括約筋強化運動及びこれによる太もも強化、さらには下体の肥満を解決することができ、ヒザを閉じて座ることで骨盤が傾くことなく脊柱が真っ直ぐになり頭から足の端まで気の流れが良くなることで、血流の循環効果が高まり、流れが良くなると新陳代謝が活発になるため、疲労回復に効果があり、また、普段から正しい姿勢を保つことで血の浄化にも非常に役立つ。
【符号の説明】
【００２７】
１０  固定締結手段部
２０  可変締結手段部
１００  第１ヒザ開き防止板
１１０  第１水平板
１１１  ガイド溝
１２０  締結ブラケット
１２１  先端ガイダー
１２２  ガイド溝
１２３  切開溝
１２４  テンション固定具
１２５  引っかかり具
２００  第２ヒザ開き防止板
２１０  第２水平板
２２０  可変延長バー
２２１  案内溝
２２２  ロッキング具
Ｌ  ヒザまたは太もも
【図１】
2016077850.tif 000003
【図２】
2016077850.tif 000004
【図３】
2016077850.tif 000005
【図４】
2016077850.tif 000006
【図５】
2016077850.tif 000007